(57)【要約】ＰＬＬの位相比較利得検出回路において、データ信号ＤＡとクロック信号ＣＬとの間の位相を比較すると共に、データ信号ＤＡとクロック信号ＣＬを所定の遅延量だけ遅延したクロック信号ＣＬ’との間の位相を比較し、それぞれの位相比較結果どうしの差と上記所定の遅延量とに基づいて位相比較利得を検出する位相比較利得検出回路。
2004040768.tif 000002
【特許請求の範囲】
【請求項１】
入力データ信号に対する、そのデータを識別するための識別タイミング信号の位相関係を所定の位相関係にするためのＰＬＬ回路における、入力データ信号と識別タイミング信号との間の位相を比較する際の位相比較利得を検出する位相比較利得検出回路であって、
入力データ信号と識別タイミング信号との間の位相関係を検出する第１の位相比較手段と、
入力データ信号と識別タイミング信号との間の位相関係を所定量シフトさせる位相関係シフト手段と、
位相関係シフト手段によってシフトされた入力データ信号と識別タイミング信号との間の位相関係を検出する第２の位相比較手段と、
第１及び第２の位相比較手段の夫々の出力の差及び上記位相関係シフト手段が位相関係をシフトさせる所定量に基づいて位相比較利得を検出する位相比較利得検出手段とよりなる位相比較利得検出回路。
【請求項２】
所定周期でデータが切り替わる入力データ信号に対する、そのデータを識別するための識別タイミング信号の位相関係を所定の位相関係にするためのＰＬＬ回路における、入力データ信号と識別タイミング信号との間の位相を比較する際の位相比較利得を検出する位相比較利得検出回路であって、
入力データ信号のデータを識別するデータ識別部のデータ識別出力と、データ識別タイミングを第１の所定量ずらすことのよって入力データ信号のデータの切り替え検出する切り替え検出部のデータ識別出力との間のデータ相関を検出することによって両者の位相を比較する第１の位相比較手段と、
上記データ識別部のデータ識別出力と、上記切り替え検出部におけるデータ識別タイミングを更に第２の所定量ずらせた際のデータ識別出力との間のデータ相関を検出することによって両者の位相を比較する第２の位相比較手段と、
第１及び第２の位相比較手段の夫々の出力の差及び上記識別タイミングをずらす第２の所定量に基づいて位相比較利得を検出する位相比較利得検出手段とよりなる位相比較利得検出回路。
【請求項３】
入力データ信号に対する、そのデータを識別するための識別タイミング信号の位相関係を所定の位相関係にするためのＰＬＬ回路における、入力データ信号と識別タイミング信号との間の位相を比較する際の位相比較利得を検出する位相比較利得検出回路であって、
入力データ信号のデータと、入力データ信号を上記識別タイミング信号によって識別することによって得られた識別出力のデータとの間のデータ相関を検出することで位相を比較する第１の位相比較手段と、
入力データ信号のデータと、入力データ信号を上記識別タイミング信号の識別タイミングから所定量をずらせたタイミングにて識別することによって得られた識別出力のデータとの間のデータ相関を検出することで位相を比較する第２の位相比較手段と、
第１及び第２の位相比較手段の夫々の出力値の差及び上記識別タイミング信号の識別タイミングをずらす所定量に基づいて位相比較利得を検出する位相比較利得検出手段とよりなる位相比較利得検出回路。
【請求項４】
入力データ信号に対し、そのデータを識別するための識別タイミング信号を同期させるＰＬＬ回路において入力データ信号と識別タイミング信号との間の誤同期状態を検出するための誤同期検出回路であって、
入力データ信号と識別タイミング信号との間の位相関係を検出する第１の位相比較手段と、
入力データ信号と識別タイミング信号との間の位相関係を所定量シフトさせる位相関係シフト手段と、
位相関係シフト手段によってシフトされた入力データ信号と識別タイミング信号との間の位相関係を検出する第２の位相比較手段と、
第１及び第２の位相比較手段の夫々の出力値のに基づいて誤同期状態を検出する構成の誤同期検出回路。
【請求項５】
上記請求の範囲１乃至３のうちのいずれか一項に記載の位相比較利得検出回路又は請求の範囲４に記載の誤同期検出回路のうちの少なくともいずれかの回路を備えたＰＬＬ回路であって、
該位相比較利得検出回路の位相比較検出利得に基づいてＰＬＬ回路のループ利得を制御する制御回路又は誤同期検出回路の誤同期検出出力に基づいて位相ロック動作を制御する制御回路を更に備えたＰＬＬ回路。
【発明の詳細な説明】
【技術分野】  本発明は位相比較利得検出回路、誤同期検出回路及びＰＬＬ回路に係り、特に光通信用の光送受信器において受信データから基準クロック信号を抽出する場合等に適用され得るＰＬＬ回路、並びにそこに適用され得る位相比較利得検出回路、及び誤同期検出回路に関する。
【背景技術】  図１Ａは、クロック抽出用ＰＬＬ回路の一般的構成を示す。同構成において、ＶＣＯ（電圧制御発振回路）４０の出力であるクロック信号ＣＬと入力データＤＡとの間の位相差を位相比較器１０で検出し、当該検出出力に応じてチャージポンプ２０が充電され、その結果当該位相比較器出力に比例した電流がループフィルタ３０に供給される。そしてループフィルタ３０にて上記供給電流が平滑化され、その結果がＶＣＯ４０にフィードバックされる。又図１Ｂは上記ループフィルタ３０の構成の一例を示す回路図である。同図に示す如く、この例の場合ループフィルタ３０は抵抗ＲとコンデンサＣとの直列回路よりなり、入力電流を平滑化して出力電圧に変換する機能を有する。上述の動作により、当該ＰＬＬ回路では入力データ信号ＤＡに同期したクロック信号ＣＬを得ることが可能となる。
ここで位相比較器１０における位相比較利得をＫｐ、チャージポンプ２０における電流振幅をＩｃ、ループフィルタ３０の伝達関数をＦ（ｓ）、ＶＣＯの利得をＫｖとした場合、当該ＰＬＬ回路のループ利得は周知の以下の式にて表される。
開ループ利得＝［Ｋｐ・Ｉｃ・Ｆ（ｓ）・Ｋｖ］／ｓ
閉ループ利得＝φｉｎ／φｏｕｔ
＝［Ｋｐ・Ｉｃ・Ｆ（ｓ）・Ｋｖ］／［ｓ＋Ｋｐ・Ｉｃ・Ｆ（ｓ）・Ｋｖ］
又、ループフィルタとして、完全次形のものを使用した場合、
開ループ利得＝［Ｋｐ・Ｉｃ・Ｒ・Ｋｖ／ｓ］・［１＋１／ｓＣＲ］
閉ループ利得＝［Ｋｐ・Ｉｃ・Ｒ・Ｋｖ・（１＋ｓＣＲ）］／［ｓ＾２・ＣＲ＋Ｋｐ・Ｉｃ・Ｒ・Ｋｖ・（１＋ｓＣＲ）］
の各ループ利得が得られる。
上式から閉ループ利得のカットオフ周波数は開ループ利得が０ｄＢになる周波数であり、位相比較器１０、チャージポンプ２０、ＶＣＯ４０の夫々の利得に比例することが分かる（図２Ａ参照）。ここで、各部の利得が大きい場合このカットオフ周波数は高くなり、その結果出力ジッタが増加する傾向にある。他方これらの利得が小さい場合には（図２Ｂ参照）、カットオフ周波数が低くなり、その結果位相余裕が減少してピーキングが増加する傾向にある。又その場合、位相誤差応答が悪くなる傾向にある。
ここでＰＬＬのジッタ特性としての閉ループ特性は所謂ジッタトランスファに相当するものであり、ＰＬＬがロックした状態における入力ジッタに対する出力ジッタの増幅率で表される。この値はＰＬＬの応答速度が遅いほど良い。他方、ＰＬＬがロックした状態でどの位のジッタに耐えられるかの指標である所謂ジッタトレランスの見地から考えた場合、逆にＰＬＬの応答速度が速いほど耐力が大きい。従って両者は互いにトレードオフの関係にある。
図３は、ＰＬＬ方式を適用した識別タイミング信号抽出回路の一例を示すブロック図である。上記の如くのＰＬＬ回路機能によって抽出されたクロック信号ＣＬによって、識別回路１００にて入力データ信号ＤＡのデータが抽出される。
このような光送受信回路等におけるＰＬＬ回路では、一般の周波数シンセサイザで使用されるＰＬＬ回路とは異なり、入力データ信号としてランダムなデータが入力される。従って、入力信号の周波数の変動が大きい場合、抽出すべき周波数成分値のレベルが相対的に低下し、結果的に上記ＰＬＬループ利得が低下してその動作が不安定になる。
図４は上記位相比較回路１０として、周知のハーフレートクロックＢａｎｇ−Ｂａｎｇ回路を適用した場合の回路例を示す。同図中、入力データ信号ＤＡに対し、二つのＤ−ＦＦ（Ｄ−フリップフロップ）回路にて、夫々データ識別用クロック信号ＣＬと、これをπ／２位相分遅らせたエッジ検出用クロック信号ＣＬ’とによってデータ識別動作を行う。そしてその結果得られる夫々の信号Ｄａ，Ｄｂに対して排他的論理和回路ＥｘＯＲにて排他的論理和演算を行い、信号Ｄｃを得る。
その結果、データ信号ＤＡの位相が識別クロック信号ＣＬの位相に対して遅れていた場合、確率的に、図６に示す如く、排他的論路和出力Ｄｃは間欠的な信号となり、他方、データ信号ＤＡの位相が識別クロック信号ＣＬの位相に対して進んでいた場合、図７に示す如く、排他的論路和出力Ｄｃは連続的な信号となる可能性が高い。
その結果、このような位相比較結果に対してチャージポンプ２０とループフィルタ３０とによる低域通過フィルタを通して得られた信号のレベルは、図６のように位相比較出力が間欠的な信号の場合低く、他方図７の場合のように連続的となる可能性が高い位相比較出力の場合、上記低域通過フィルタの出力レベルは高くなる。そしてこの低域通過フィルタの出力レベルに応じてＶＣＯ４０の発振周波数が制御される。
即ち、データ信号の位相が遅れている場合にはＶＯＣ入力レベルが下がり、その結果ＶＣＯ発振周波数が低下してデータ信号の位相に応じてクロック信号ＣＬの位相を遅らせるよう作用する。逆にデータ信号の位相が進んでいる場合にはＶＣＯ発振周波数が上昇し、データ信号に対してクロック信号の位相を進ませるよう作用する。
ここで図６の場合において入力データ信号の内のＡ系統のデータの符号が変化すると位相比較出力においてクロック信号の１／４周期のＨ信号が出力される。他方Ａ系統のデータの符号が連続した場合、その間、Ｈ信号が出力されないこととなる。この様子を図８乃至図１０に示す。
又、図７の場合、即ちデータ信号の位相が進んでいる場合、図７に示す如く同じデータ間の排他的論理和が発生することが無いため、統計的には位相比較出力としてＨ信号とＬ信号とは半分ずつ発生することとなる。しかしながら、Ａ系統とＢ系統共、同符号が連続するような場合にはＬ信号が出力され、他方異符号の繰り返しが続くとＨ信号が出力される事となる。この様子を図１１乃至図１３に示す。
このように、位相比較出力は必ずしもデータ信号とクロック信号との間の位相差のみでなく、データ信号の内容そのもの（この場合所謂エッジ率、デューティー等）によっても影響を受けることとなる。その結果、上記位相比較器１０の利得Ｋｐが変動し、もって上記ＰＬＬ回路全体のループ利得が変動することとなる。
図１４Ａ，図１４Ｂは、図４に示す如くの構成を有する位相比較器１０の出力波形の例を示す。図１４Ａに示す如く、破線で示す理想的な出力特性に対し、入力ジッタ、位相比較回路中のＤ−ＦＦ回路のセットアップホールド動作特性による影響等により、実際には実線で示される如く波形になまりが生ずる。又、図１４Ｂに示す如く、上記入力データのエッジ率によっても波形になまりが生ずる。その結果ＰＬＬ回路のループ利得が変動し、もって上述の如くの回路動作不安定要因となる。
【発明の開示】
本発明は上記問題点に鑑み、入力データのエッジ率、デューティー等の変動、回路特性による影響等によらず、安定したＰＬＬ回路動作を提供し得るＰＬＬ回路を提供する事を目的とする。
本発明では、入力データ信号の識別に関して位相条件が異ならせて複数の位相比較動作を行い、夫々の位相比較結果を比較することによって位相比較利得を検出する。従って入力データ信号のエッジ率、デューティー、更に識別器のセットアップ・ホールド特性等の位相比較利得の変動要因を加味したオンタイムの位相比較利得を検出出来る。その結果、当該位相比較検出結果に基づいてＰＬＬ回路のループ利得を制御することによってオンタイムで正確なループ利得補償制御が実現可能である。
【図面の簡単な説明】  図１Ａ、１Ｂは従来のＰＬＬ回路の構成を示す図である。
図２Ａ、２Ｂは、ＰＬＬ回路のループ利得についての説明図である。
図３は従来のＰＬＬ回路の動作説明図である。
図４は、従来のハーフレートクロックＢａｎｇ−Ｂａｎｇ位相比較器の回路例を示す図である。
図５はデータ識別位相について説明するための図である。
図６は図４の回路における各信号のタイムチャート（その１）である。
図７は図４の回路における各信号のタイムチャート（その２）である。
図８は図４の回路における各信号のタイムチャート（その３）である。
図９は図４の回路における各信号のタイムチャート（その４）である。
図１０は図４の回路における各信号のタイムチャート（その５）である。
図１１は図４の回路における各信号のタイムチャート（その６）である。
図１２は図４の回路における各信号のタイムチャート（その７）である。
図１３は図４の回路における各信号のタイムチャート（その８）である。
図１４Ａ，１４Ｂは、位相比較特性の劣化状態を説明するための図（その１）である。
図１５は、位相比較利得補償機能付きＰＬＬ回路の一例の回路ブロック図である。
図１６は、位相比較利得検出回路の一例を示す回路図である。
図１７は、位相比較特性の劣化状態を説明するための図（その２）である。
図１８は、本発明の一実施例のブロック図である。
図１９は、図１８に示す構成による位相比較利得検出原理を説明するための図である。
図２０は、本発明の一実施例の回路図である。
図２１は、図２０に示す回路における各信号のタイムチャートである。
図２２は、図２０に示す構成による位相比較利得検出原理を説明するための図である。
図２３は、図２０に示す構成を有する位相比較検出回路を用いた本発明の一実施例によるＰＬＬ回路のブロック図である。
図２４は、本発明の他の実施例による位相比較利得検出回路の回路図である。
図２５は、図２４に示す構成による位相比較利得検出原理を説明するための図である。
図２６は、本発明の更に他の実施例による誤同期検出回路の回路図である。
図２７は、図２６に示す構成による誤同期検出原理を説明するための図である。
好ましい実施例の説明
以下に本発明の実施例の構成について図面と共に説明する。
上述の如くのＰＬＬ回路（例えば図１５に示す回路）の利得変化を、ＶＣＯ４０の利得を検出して補償するものとして、位相比較器１０の利得をデータＤＡのエッジ率によって検出し、その検出結果に基づいてチャージポンプ２０の出力電流を調整し、或いはフィルタ３０の容量値又は抵抗値を調整して補償する等の方法が考えられる。図１５の場合、位相比較利得回路２１０にて位相比較記１０の利得を検出し、その検出結果に基づいて制御回路２２０にてチャージポンプの特性を制御する。
この場合、位相比較記１０が例えば図１６に示す如くの周知のＨｏｇｇｅ位相比較器のように鋸波位相比較特性（図１７参照）を持つ位相比較器の場合、位相周期が決まった値であり、その出力振幅で利得が決まる。そして図１５に示す如くの位相比較利得補償回路においては、データのエッジ率変動による振幅の変動を検出する。即ちこの場合、ＥＸＯＲ回路２１３の出力は、データにエッジが有る場合、即ちデータの変化時に”Ｈ”、無い場合には”Ｌ”となる。これをＬＰＦ（Ｒ，Ｃによる回路）で平均化することによりデータのエッジ率が検出出来る。そして制御回路２２０によって位相検出器の出力振幅の変動分をチャージポンプ２０の電流を調整することで補償する方法である。
他方、識別器および分周器を位相比較器の一部として構成可能であるため構成部品が少なくてすむ周知のＢｎａｇ−Ｂａｎｇ位相比較器を適用する場合、この位相比較器では位相比較特性がステップ関数（Ｂａｎｇ−Ｂａｎｇ位相比較特性）で表され（例えば図１４Ａの破線の特性）、位相比較器出力の確率的変動に応じて位相比較利得値が決まる特性を有する。この場合の位相比較利得の変動要因としては、データのエッジ率の変動に加え、▲１▼入力データのジッタ、▲２▼入力データのデューティ、▲３▼位相比較器中の識別器（ＦＦ）のセットアップ・ホールド特性等のバラツキ及び変動等が挙げられる。従ってこの場合位相比較利得に対する設計は図１６，１７の場合に比較して複雑であり、該当するシステム中に位相比較回路を組み込んだ後に位相比較利得を含んだＰＬＬ全体のループ利得を調整する必要がある。
そこで、本発明では、上記のＢａｎｇ−Ｂａｎｇ位相比較器等を備えたＰＬＬ回路において、これら入力データのジッタ、入力データのデューティ、位相比較器の識別器（ＦＦ）のセットアップ・ホールド特性のバラツキ及び変動等による位相比較利得の変動を正確に検出する回路を提供する。
図１８は、本発明の一実施例の原理図である。同図は、上記Ｂａｎｇ−Ｂａｎｇ位相比較器を用いた位相比較利得検出器を示す。同図に示す通り、この位相比較検出器３００は、データＤＡを識別するクロック信号ＣＬを入力とする位相比較器３１１、データ識別用クロック信号ＣＬを所定時間遅延させてクロック信号ＣＬ’として出力する遅延器３１３、この遅延クロック信号ＣＬ’を入力とする位相比較器３１２、出力を平滑化するＬＰＦ３１４，３１５、及び差電圧検出回路３１６とで構成される。
同図の回路では、データ信号ＤＡとクロック信号ＣＬとが同期している間、即ち入力データ識別用クロック同期時、異なる位相の二つのクロック信号ＣＬ，ＣＬ’によって夫々データ識別動作を行い、夫々の位相比較器出力Ｄ１，Ｄ２と、両クロック信号ＣＬ，ＣＬ’間の時間差、即ち上記所定の遅延時間から、所望の位相比較利得を検出する。これにより、位相比較器のセットアップ・ホールド時間、入力データのエッジ率およびジッタ並びにデューティ変動やバラツキ等があった場合であっても、これらを織り込み済みの位相比較利得が検出可能であるため、当該検出出力に基づいて制御することにより、ＰＬＬ回路全体のループ利得を一定となるように補償し得る。従って、安定な応答特性が得られ、所望のジッタトランスファ特性を満足するＰＬＬ回路を提供可能である。
図１９は上記本発明の一実施例の原理を説明するための各位相比較器３１１，３１２の出力レベルを示し、同図の位相比較特性は、図１４Ａ，１４Ｂに示すものに相当する。同図に示す如く、位相比較出力は位相比較結果としての位相差に応じて変化し、その変化率即ち、ΔＶ／（Δｔ／Ｔ）が位相比較利得Ｋｐに相当する。上式において、ΔＶは、異なる位相条件による位相比較出力を平滑化した値Ｄ１とＤ２との間の差電圧であり、Δｔは、当該位相条件の差異を提供する遅延器３１３による遅延量であり、Ｔはクロック信号の信号周期を示す。
図２０は図１８の構成を更に具体化した本発明の一実施例による位相比較検出回路の構成を示す。同回路はハーフレートクロックを用いたＢａｎｇ−Ｂａｎｇ位相比較器を適用した位相比較利得検出回路である。図に示す如く、同回路は、識別器（ＦＦ）として、データ識別用識別器４１１、４１２、データエッジ検出用識別器４１３、更に位相比較利得検出用識別器４１４とを設け、更に、排他的論理和回路（ＥＸＯＲ）として、データ識別ＦＦ出力ＤＯａとデータエッジ検出用ＦＦ出力ＤＯｃとの論理をとる回路４３１、同じくデータ識別ＦＦ出力ＤＯｂとデータエッジ検出用ＦＦ出力ＤＯｃとの論理をとる回路４３２、データ識別ＦＦ出力ＤＯｂと位相比較利得検出用ＦＦ出力ＤＯｄとの論理をとる回路４３３とが設けられている。そしてこれらの出力は夫々ＬＰＦ４４１，４４２，４４３で平滑化されて位相比較出力Ｐｈ１，Ｐｈ２，Ｐｈ３として出力される。
この図２０の回路では、図２１の波形図で示す如く、データ信号ＤＡとクロック信号ＣＬとの同期がとれている状態で、識別器４１１の出力ＤＯａとしてはＡ系統のデータが得られ、識別器４１２の出力ＤＯｂとしてはＢ系統のデータが得られる。他方、エッジ検出用識別器４１３の出力ＤＯｃとしては、クロック信号の立ち上がりタイミングがデータ信号ＤＡの変化点と一致するため、上記タイミングによってＡ系統のデータが得られる確率とＢ系統のデータが得られる確率とが等しくなる。他方、位相比較利得検出用識別器４１４の出力としては、クロック信号の立ち上がりタイミングがデータ信号ＤＡの変化点より若干遅れているため、上記タイミングによってＡ系統のデータが得られる確率よりもＢ系統のデータが得れる確立の方が大きくなる。
その結果、これらのデータの間の排他的論理和の結果として、ＥＸＯＲ回路４４１の出力Ｐｈ１におけるＨレベルの出現確率はＥＸＯＲ４４２の出力Ｐｈ２におけるＨレベルの出現確率と略等しくなる。他方、ＥＸＯＲ回路４４３の出力Ｐｈ３では、Ｈレベルの出現確率は前者の各々より高くなる。即ち、ＥＸＯＲ回路４４３の入力であるＤＯａとＤＯｄとが一致する確率が、ＥＸＯＲ回路４４１の入力であるＤＯａとＤＯｃとが一致する確率又はＥＸＯＲ回路４４２の入力であるＤＯｂとＤＯｃとが一致する確率より低いからである。これは、上記の如く、信号ＤＯｃにおけるＡ系統データの出現確率よりも信号ＤＯｄにおけるＡ系統データの出現確率のほうが小さく、同様に信号ＤＯｃにおけるＢ系統データの出現確率よりも信号ＤＯｄにおけるＡ系統データの出現確率のほうが小さいことによる。
このように、本実施例では、意図的に所定時間Δｔ遅延させたクロック信号ＣＬｂを発生させてデータ識別を行い、その識別結果のデータと、Δｔ遅延させていないクロックＣＬにて識別された識別結果のデータとの排他的論理和をとる。更にエッジ検出用クロック信号ＣＬａにてデータ識別を行なった識別結果データと、同じくΔｔ遅延させていないクロックＣＬにて識別された識別結果データとの排他的論理和をとる。そしてこれら２種類の排他的論理和の結果をＬＰＦにて平滑化してそのレベル差を、上記遅延量Δｔを周期Ｔで基準化した位相で割ることによって位相比較利得Ｋｐが得られる。
即ち、ここでは同期確立後に意図的に遅延量Δｔを発生させて擬似的にデータ信号ＤＡと同期がずれたクロック信号（図２０，２１の例では信号ＣＬｂ）を生成し、その「疑似同期ズレ」クロック信号によって同じデータ信号ＤＡの識別を行なう。そしてそこで得られる識別データと、π／２遅延させたクロック信号ＣＬａで識別されたデータとの間の排他的論理和出力を平滑化して「疑似同期ズレ」位相比較検出値を得る。そしてこの疑似同期ズレ位相比較検出値に対し、同期状態のクロック信号ＣＬにて識別された識別データと、同じくπ／２遅延させたクロック信号ＣＬａで識別されたデータとの間の排他的論理和出力を平滑化して得られた値、即ち「同期時位相比較検出値」とを比較する。この比較結果の差異が大きい程、データ信号ＤＡに対するクロック信号ＣＬとの間の位相差に対する位相比較検出感度が高いと言え、もって位相比較利得が高いことと同義である。
このように当該実施例では、現時点でのデータのエッジ率、デューティー、各識別器（ＦＦ）のセットアップ・ホールド特性等を全て織り込み済みの位相比較利得を求めることとなるため、非常に正確にオンタイムの実効的な位相比較利得を求めることが可能である。
図２３は、本発明の一実施例による位相比較利得補償機能を備えたＰＬＬ回路例を示し、図２０の構成を有する位相比較器検出回路４００の位相比較出力Ｐｈ１とＰｈ３との間の差電圧をディジタル信号に変換するＡ／Ｄ変換器５１０と、当該ディジタル差電圧と所定の基準値とを比較し、その比較結果に基づいてチャージポンプの出力電流を調整し、もって当該ＰＬＬ回路のループ利得を補償する構成を有する。
又、図２３の構成では、図２０に示す位相比較検出回路４００のデータ出力ＤＯａ、ＤＯｂは、そのまま入力データの再生データとして使用可能である。即ち、これらデータ出力ＤＯａ、ＤＯｂは、図３における識別回路１００の出力に相当する。
即ち、図２３のＰＬＬ回路では、位相比較検出回路４００で得られた「疑似同期ズレ」識別信号と「同期」識別信号との間の位相比較出力差電圧に基づいてＰＬＬ回路のループ利得を制御するため、現時点での入力信号の特性及び位相比較回路特性を加味した正確なループ利得補償機能を有するＰＬＬ回路を提供可能である。
尚、図２３の回路構成に限らず、制御回路５２０はチャージポンプの出力電流振幅１ｃ以外のＰＬＬ回路のループ利得の決定要因であるフィルタ３０の伝達関数Ｆ（ｓ）、ＶＣＯ４０の利得Ｋｖ等を制御してＰＬＬ回路のループ利得を補償する構成としても良いことは言うまでも無い。
上述の実施例では、位相比較検出回路４００においてハーフレートクロックを用いたＢａｎｇ−Ｂａｎｇ位相比較器を適用しているが、これ以外にもフルレートクロックを用いた、位相比較特性が鋸波状（図２５参照）となる位相比較器に対して本発明を適用することも可能である。図２４はその場合の位相比較検出回路の回路構成例を示す。同図の回路では、データ信号ＤＡをクロック信号ＣＬのタイミングで識別する識別器６１１とデータ信号ＤＡを、クロック信号ＣＬを遅延器６２２にて所定量遅延させた遅延クロック信号ＣＬ’のタイミングで識別する識別器６１２とが設けられている。そしてこれら識別器６１１，６１２による識別出力ＤＯ１，ＤＯ２の夫々とデータ信号ＤＡとの排他的論理和をとるＥＸＯＲ６３１，６３２を設け、これらＥＸＯＲ６３１，６３２の出力を平滑化する低域通過フィルタ６４１，６４２を設けている。
図２４の位相比較検出回路によれば、図２０の場合同様、識別クロック信号ＣＬ，ＣＬ’の位相差による識別結果信号ＤＯ１，ＤＯ２間の差異を、これら識別結果信号ＤＯ１，ＤＯ２と元のデータ信号ＤＡとの排他論理和演算を行ってそれらＥＸＯＲ演算結果を夫々平滑化して差を得ることで検出する。図２５は、その場合に得られる差電圧を説明するための図である。ここで検出されるＬＰＦ６４１，６４２の出力Ｐｈ１’とＰｈ２’との間の差電圧ΔＶを、遅延器６２２による遅延量であるΔｔを周期Ｔで基準化した遅延位相量を表すΔｔ／Ｔで割ることで、位相比較利得であるＫｐが得られる（下式参照）。
Ｋｐ＝ΔＶ／（Δｔ／Ｔ）
このようにして得られた位相比較検出値を基にして図２３に示す制御回路５２０がチャージポンプ２０の電流振幅値Ｉｃ等のループ利得決定要因パラメータを調整制御することでＰＬＬ回路のループ利得を補償する。
尚この場合では、図１６の例に比較して、入力データのエッジ率以外の要因による利得変動があった場合にも位相比較利得を補償可能である。
又、位相比較器を他の構成としても良く、クロック信号ＣＬの位相又は入力データ信号ＤＡの位相を所定量遅延させ又は進ませる機能を有する、位相比較器同様の回路構成を有する位相検出回路と組み込んでＰＬＬ回路を構成しても良い。
以上説明したように、本発明によればＰＬＬ回路の位相比較器の変動・バラツキ及び入力データのジッタ等に応じて位相比較利得を補償するため、ＰＬＬのループ利得を精度良く一定に保つことが可能であると共にジッタ周波数特性を安定化することが出来、もってＰＬＬ回路の性能の向上が可能である。
図２６、図２７は本発明の他の実施例による誤同期検出装置を説明するための図である。図２６は図１８の回路構成と実質的に同様であり、対応構成部分には同一符号を付し、重複説明を省く。
この場合、ＰＬＬ回路の位相比較器として図２７の破線にて示す如くの鋸波特性を有するものを想定する。即ち、検出位相差に応じて出力される検出電圧が検出位相差に応じて鋸波状に変化する特性を有するものである。このようなＰＬＬ回路では、この鋸波の上昇ランプ部の中間部、即ち図中Ｐ点にて位相ロックを掛けることにより、入力データ信号ＤＡの信号変化点間の中央部分、即ちアイパターンの中心部のタイミングでデータを識別し得るようにクロック信号ＣＬの位相をロックし得る（図５参照）。
ところが、実際には入力データ信号ＤＡのデューティーの変動等により、鋸波特性に図２７の実線で示す如くの波形の歪が生ずることがある。その場合、ＰＬＬ回路では、図２７中のＱ点にて誤って位相ロックを掛けてしまう場合がある。この場合誤同期となり、クロック信号はデータのアイパターンのクロスポイントのタイミングでデータ識別を行なうことになり、識別データが誤りとなる可能性が高い。
このような誤同期を防止するため、本発明の他の実施例による誤同期検出装置では、例えば図２０乃至図２５と共に述べたように、位相比較器の位相比較検出出力は、遅延器３１３，６２２によって与えられる遅延量Δｔによって変化する。しかしながら、その変化量は、データ信号ＤＡとクロック信号ＣＬとの間の絶対位相に依存する特性を有する。即ち、データ信号ＤＡとクロック信号ＣＬとの間の位相差がゼロ近辺、即ちデータ信号ＤＡのアイパターンの中心部のタイミング（図５参照）でデータを識別する状態では、正しくデータを識別できるため、その識別信号とデータ信号ＤＡとの排他的論理和結果には、データ識別タイミングを遅延器３１３にて遅延させても、その遅延量Δｔが周期Ｔよりある程度小さい限り、その遅延量に略比例した程度の差異しか生じない。
逆にアイパターンのクロスポイントのタイミング，即ちデータ信号ＤＡの値が不定状態でデータ識別する場合正しいデータを識別できる可能性は５０％程度である。他方、そのタイミングから上記所定量Δｔ遅延させ、その遅延量Δｔが上記不定状態（不感帯）を超えて略正確にデータ識別が可能な識別タイミングとなる程度に大きい場合、正しいデータ識別の可能性は１００％近くとなる。その結果、そのような識別タイミングによる識別結果は、遅延無しの場合（即ち不定状態で識別率５０％程度の場合）の識別結果とは大きく異なることとなり、その差異は上記のアイパターンの中心付近での識別の場合に比してかなり大きくなる。
この点を図２７と共に再度説明するに、アイパターンの中心付近でのデータ識別の場合、即ち同図のＰ点の場合の遅延有り無しの位相比較出力は夫々Ｄ１，Ｄ２であり、その差はΔＶである。他方、アイパターンのクロスポイント付近での場合、即ちＱ点の場合の遅延有り無しの位相比較出力は夫々Ｄ１’、Ｄ２’であり、その差はΔＶ’となる。図示の如く、明らかに
ΔＶ＜ΔＶ’
である。従ってΔＶが所定の基準値を超えて大きくなったことを検出することによって誤同期を検出可能である。
尚本発明は上記実施例に限られず、本発明の基本思想に従った様々な変形例が実施可能であり、それらの変形例も本発明の範囲に含まれることは言うまでも無い。
本発明は、以下の構成を含む。
（構成１）
入力データ信号に対する、そのデータを識別するための識別タイミング信号の位相関係を所定の位相関係にするためのＰＬＬ回路における、入力データ信号と識別タイミング信号との間の位相を比較する際の位相比較利得を検出する位相比較利得検出回路であって、
入力データ信号と識別タイミング信号との間の位相関係を検出する第１の位相比較手段と、
入力データ信号と識別タイミング信号との間の位相関係を所定量シフトさせる位相関係シフト手段と、
位相関係シフト手段によってシフトされた入力データ信号と識別タイミング信号との間の位相関係を検出する第２の位相比較手段と、
第１及び第２の位相比較手段の夫々の出力の差及び上記位相関係シフト手段が位相関係をシフトさせる所定量に基づいて位相比較利得を検出する位相比較利得検出手段とよりなる位相比較利得検出回路。
（構成２）
上記構成１の位相比較利得検出回路において、
第１の位相比較手段は入力データ信号と識別タイミング信号とが略同期した状態の両者間の位相関係を検出し、
第２の位相比較手段は入力データ信号と識別タイミング信号とが略同期した状態から所定量シフトした状態における両者間の位相関係を検出する構成の位相比較利得検出回路。
（構成３）
所定周期でデータが切り替わる入力データ信号に対する、そのデータを識別するための識別タイミング信号の位相関係を所定の位相関係にするためのＰＬＬ回路における、入力データ信号と識別タイミング信号との間の位相を比較する際の位相比較利得を検出する位相比較利得検出回路であって、
入力データ信号のデータを識別するデータ識別部のデータ識別出力と、データ識別タイミングを第１の所定量ずらすことのよって入力データ信号のデータの切り替え検出する切り替え検出部のデータ識別出力との間のデータ相関を検出することによって両者の位相を比較する第１の位相比較手段と、
上記データ識別部のデータ識別出力と、上記切り替え検出部におけるデータ識別タイミングを更に第２の所定量ずらせた際のデータ識別出力との間のデータ相関を検出することによって両者の位相を比較する第２の位相比較手段と、
第１及び第２の位相比較手段の夫々の出力の差及び上記識別タイミングをずらす第２の所定量に基づいて位相比較利得を検出する位相比較利得検出手段とよりなる位相比較利得検出回路。
（構成４）
入力データ信号に対する、そのデータを識別するための識別タイミング信号の位相関係を所定の位相関係にするためのＰＬＬ回路における、入力データ信号と識別タイミング信号との間の位相を比較する際の位相比較利得を検出する位相比較利得検出回路であって、
入力データ信号のデータと、入力データ信号を上記識別タイミング信号によって識別することによって得られた識別出力のデータとの間のデータ相関を検出することで位相を比較する第１の位相比較手段と、
入力データ信号のデータと、入力データ信号を上記識別タイミング信号の識別タイミングから所定量をずらせたタイミングにて識別することによって得られた識別出力のデータとの間のデータ相関を検出することで位相を比較する第２の位相比較手段と、
第１及び第２の位相比較手段の夫々の出力の差及び上記識別タイミング信号の識別タイミングをずらす所定量に基づいて位相比較利得を検出する位相比較利得検出手段とよりなる位相比較利得検出回路。
（構成５）
第１及び第２の位相比較手段におけるデータ間のデータ相関検出は、排他的論理和演算によって実現される構成を有してなる上記構成３又は４の位相比較利得検出回路。
（構成６）
排他論理和出力は平滑化されて位相比較利得検出手段に入力される構成よりなる上記構成５の位相比較利得検出回路。
（構成７）
各々のデータ識別はフリップフロップ回路によって実行される構成とされてなる上記構成３乃至６のうちのいずれかの位相比較利得検出回路。
（構成８）
入力データ信号に対し、そのデータを識別するための識別タイミング信号を同期させるＰＬＬ回路において入力データ信号と識別タイミング信号との間の誤同期を検出するための誤同期検出回路であって、
入力データ信号と識別タイミング信号との間の位相関係を検出する第１の位相比較手段と、
入力データ信号と識別タイミング信号との間の位相関係を所定量シフトさせる位相関係シフト手段と、
位相関係シフト手段によってシフトされた入力データ信号と識別タイミング信号との間の位相関係を検出する第２の位相比較手段と、
第１及び第２の位相比較手段の夫々の出力の差に基づいて誤同期状態を検出する構成の誤同期検出回路。
（構成９）
入力データ信号に対し、そのデータを識別するための識別タイミング信号を同期させるＰＬＬ回路において入力データ信号と識別タイミング信号との間の誤同期を検出するための誤同期検出回路であって、
入力データ信号のデータを識別するデータ識別部のデータ識別出力と、データ識別タイミングを第１の所定量ずらすことのよって入力データ信号のデータの切り替え検出する切り替え検出部のデータ識別出力との間のデータ相関を検出することによって両者の位相を比較する第１の位相比較手段と、
上記データ識別部のデータ識別出力と、上記切り替え検出部におけるデータ識別タイミングを更に第２の所定量ずらせた際のデータ識別出力との間のデータ相関を検出することによって両者の位相を比較する第２の位相比較手段と、
第１及び第２の位相比較手段の夫々の出力の差に基づいて誤同期状態を検出する誤同期検出手段とよりなる
誤同期検出回路。
（構成１０）
入力データ信号に対し、そのデータを識別するための識別タイミング信号を同期させるＰＬＬ回路において入力データ信号と識別タイミング信号との間の誤同期を検出するための誤同期検出回路であって、
入力データ信号のデータと、入力データ信号を上記識別タイミング信号によって識別することによって得られた識別出力のデータとの間の相関を検出することで位相を比較する第１の位相比較手段と、
入力データ信号のデータと、入力データ信号を上記識別タイミング信号の識別タイミングから所定量をずらせたタイミングにて識別することによって得られた識別出力のデータとの間の相関を検出することで位相を比較する第２の位相比較手段と、
第１及び第２の位相比較手段の夫々の出力の差に基づいて誤同期状態を検出する誤同期検出手段よりなる誤同期検出回路。
（構成１１）
上記構成１乃至７のうちのいずれかの位相比較利得検出回路及び上記構成８乃至１１のうちのいずれかの誤同期検出回路のうちの少なくとも一方の回路を備えたＰＬＬ回路であって、
該位相比較利得検出回路の位相比較検出利得に基づいてＰＬＬ回路のループ利得を制御する制御回路、及び上記誤同期検出回路の誤同期検出結果に基づいて位相ロック動作を制御する制御回路のうちの少なくとも一方の制御回路を更に有するＰＬＬ回路。
（構成１２）
前記制御回路は、当該ＰＬＬ回路を構成するチャージポンプの電流振幅、ループフィルタの伝達関数、ＶＣＯの制御利得のうちの少なくともいずれかを変化させることによってＰＬＬ回路のループ利得を制御する構成よりなる上記構成１１のＰＬＬ回路。
（構成１３）
入力データ信号に対する、そのデータを識別するための識別タイミング信号の位相関係を所定の位相関係にするためのＰＬＬ回路における、入力データ信号と識別タイミング信号との間の位相を比較する際の位相比較利得を検出する位相比較利得検出方法であって、
入力データ信号と識別タイミング信号との間の位相関係を検出する第１の位相比較段階と、
入力データ信号と識別タイミング信号との間の位相関係を所定量シフトさせる位相関係シフト段階と、
位相関係シフト手段によってシフトされた入力データ信号と識別タイミング信号との間の位相関係を検出する第２の位相比較段階と、
第１及び第２の位相比較段階の夫々で得られる出力値の差及び上記位相関係シフト段階にて位相関係をシフトさせる所定量に基づいて位相比較利得を検出する位相比較利得検出段階とよりなる位相比較利得検出方法。
（構成１４）
上記構成１３の位相比較検出方法において、
第１の位相比較方法では入力データ信号と識別タイミング信号とが略同期した状態の両者間の位相関係を検出し、
第２の位相比較段階では入力データ信号と識別タイミング信号とが略同期した状態から所定量シフトした状態における両者間の位相関係を検出する構成の位相比較検出方法。
（構成１５）
所定周期でデータが切り替わる入力データ信号に対する、そのデータを識別するための識別タイミング信号の位相関係を所定の位相関係にするためのＰＬＬ回路における、入力データ信号と識別タイミング信号との間の位相を比較する際の位相比較利得を検出する位相比較利得検出方法であって、
入力データ信号のデータを識別するデータ識別部のデータ識別出力と、データ識別タイミングを第１の所定量ずらすことのよって入力データ信号のデータの切り替え検出する切り替え検出部のデータ識別出力との間のデータ相関を検出することによって両者の位相を比較する第１の位相比較段階と、
上記データ識別部のデータ識別出力と、上記切り替え検出部におけるデータ識別タイミングを更に第２の所定量ずらせた際のデータ識別出力との間のデータ相関を検出することによって両者の位相を比較する第２の位相比較段階と、
第１及び第２の位相比較段階の夫々における比較出力値の差及び上記識別タイミングをずらす第２の所定量に基づいて位相比較利得を検出する位相比較利得検出段階とよりなる位相比較利得検出方法。
（構成１６）
入力データ信号に対する、そのデータを識別するための識別タイミング信号の位相関係を所定の位相関係にするためのＰＬＬ回路における、入力データ信号と識別タイミング信号との間の位相を比較する際の位相比較利得を検出する位相比較利得検出方法であって、
入力データ信号のデータと、入力データ信号を上記識別タイミング信号によって識別することによって得られた識別出力のデータとの間のデータ相関を検出することで位相を比較する第１の位相比較段階と、
入力データ信号のデータと、入力データ信号を上記識別タイミング信号の識別タイミングから所定量をずらせたタイミングにて識別することによって得られた識別出力のデータとの間のデータ相関を検出することで位相を比較する第２の位相比較段階と、
第１及び第２の位相比較段階の夫々における比較出力の差及び上記識別タイミング信号の識別タイミングをずらす所定量に基づいて位相比較利得を検出する位相比較利得検出段階とよりなる位相比較利得検出方法。
（構成１７）
入力データ信号に対し、そのデータを識別するための識別タイミング信号を同期させるＰＬＬ回路において入力データ信号と識別タイミング信号との間の誤同期を検出するための誤同期検出方法であって、
入力データ信号と識別タイミング信号との間の位相関係を検出する第１の位相比較段階と、
入力データ信号と識別タイミング信号との間の位相関係を所定量シフトさせる位相関係シフト段階と、
位相関係シフト手段によってシフトされた入力データ信号と識別タイミング信号との間の位相関係を検出する第２の位相比較段階と、
第１及び第２の位相比較段階における夫々の出力の差に基づいて誤同期状態を検出する構成の誤同期検出方法。
（構成１８）
入力データ信号に対し、そのデータを識別するための識別タイミング信号を同期させるＰＬＬ回路において入力データ信号と識別タイミング信号との間の誤同期を検出するための誤同期検出方法であって、
入力データ信号のデータを識別するデータ識別部のデータ識別出力と、データ識別タイミングを第１の所定量ずらすことのよって入力データ信号のデータの切り替え検出する切り替え検出部のデータ識別出力との間のデータ相関を検出することによって両者の位相を比較する第１の位相比較段階と、
上記データ識別部のデータ識別出力と、上記切り替え検出部におけるデータ識別タイミングを更に第２の所定量ずらせた際のデータ識別出力との間のデータ相関を検出することによって両者の位相を比較する第２の位相比較段階と、
第１及び第２の位相比較段階の夫々における出力の差に基づいて誤同期状態を検出する誤同期検出段階とよりなる誤同期検出方法。
（構成１９）
入力データ信号に対し、そのデータを識別するための識別タイミング信号を同期させるＰＬＬ回路において入力データ信号と識別タイミング信号との間の誤同期を検出するための誤同期検出回路であって、
入力データ信号のデータと、入力データ信号を上記識別タイミング信号によって識別することによって得られた識別出力のデータとの間の相関を検出することで位相を比較する第１の位相比較段階と、
入力データ信号のデータと、入力データ信号を上記識別タイミング信号の識別タイミングから所定量をずらせたタイミングにて識別することによって得られた識別出力のデータとの間の相関を検出することで位相を比較する第２の位相比較段階と、
第１及び第２の位相比較段階の夫々における出力の差に基づいて誤同期状態を検出する誤同期検出段階とよりなる誤同期検出方法。
2004040768.tif 000003
2004040768.tif 000004
【図３】
2004040768.tif 000005
【図４】
2004040768.tif 000006
【図５】
2004040768.tif 000007
【図６】
2004040768.tif 000008
【図７】
2004040768.tif 000009
【図８】
2004040768.tif 000010
【図９】
2004040768.tif 000011
【図１０】
2004040768.tif 000012
【図１１】
2004040768.tif 000013
【図１２】
2004040768.tif 000014
【図１３】
2004040768.tif 000015
2004040768.tif 000016
【図１５】
2004040768.tif 000017
【図１６】
2004040768.tif 000018
【図１７】
2004040768.tif 000019
【図１８】
2004040768.tif 000020
【図１９】
2004040768.tif 000021
【図２０】
2004040768.tif 000022
【図２１】
2004040768.tif 000023
【図２２】
2004040768.tif 000024
【図２３】
2004040768.tif 000025
【図２４】
2004040768.tif 000026
【図２５】
2004040768.tif 000027
【図２６】
2004040768.tif 000028
【図２７】
2004040768.tif 000029
【国際調査報告】
2004040768.tif 000030
2004040768.tif 000031
2004040768.tif 000032